(57)【特許請求の範囲】
【請求項１】
本体キャビネットに対して開閉自在に構成された開閉蓋の両側部箇所において本体キャビネットの両側部箇所にも臨むようにバックルを左右に配設し、
左右のバックルにそれぞれロック部を設け、
前記開閉蓋に、バックル同士が本体キャビネットに対して互いに離反または当接するように連動させる連動構成部を設け、
この連動構成部は、
開閉蓋の左側部分または右側部分に沿って移動自在に配設され、左右のバックルを、バックル支持用の支軸を介して、それぞれ回動可能に連結する連結板と、
開閉蓋に対して回転自在に取付けられ、前記左右の連結板に連結されその回動に合わせて左右の連結板を横方向にスライドさせる連結レバーと、
一端が、前記バックル支持用の支軸を介して前記連結板に連結され、他端が開閉蓋に固定した固定板に、この固定板に取付けられた支軸を介して連結されて、バックルをロック操作した際に、バックルを開閉蓋側に押し倒すように前記固定板取付の支軸を中心に回転して、本体キャビネットを開閉蓋側に引き上げ、ロック部を本体キャビネットの被ロック部に嵌まり込ませて本体キャビネットに対してロック力を発生させる反転板と
を備えたことを特徴とする蓋開閉装置。
【請求項２】
連動構成部における開閉蓋に取り付けた連結レバーがバックル支持用の支軸を支点に開閉蓋に対して回転するように構成しており、連結板のスライドストローク量を、連結レバーの支点から連結板の連結部との間の距離を変えることにより容易に設定可能に構成し、また上記スライド・回転運動に合わせて、開閉蓋を覆う蓋カバーに設けた窓部での見え隠れによりグラフィック等のロック表示を可能にしたことを特徴とする請求項１記載の蓋開閉装置。
【請求項３】
ロックさせるためにバックルをロック操作した際に、開閉蓋に固定した固定板にこの固定板取付の支軸を介して連結された反転板が、バックルを押し倒すように前記支軸を中心に回転するとともに、バックルに設けたロック部が本体キャビネット側に設けた被ロック部としてのロック用溝に嵌まり込んで、本体キャビネットを開閉蓋側に引き上げて開閉蓋と本体キャビネットとを押しつけ、この引き上げロック動作において、バックルを単に移動させただけではロック部がロック用溝に完全には嵌まり込まずに回動必要半径が不足するような位置設定とされており、さらにバックルを押し倒すことにより固定板や反転板やバックルなどが弾性変形して不足した回動必要半径量が確保されてロック部がロック用溝に完全に嵌まり込むことで、ロック力が発生してバックルにてロックする構成としたことを特徴とする請求項１記載の蓋開閉装置。
【請求項４】
バックルのロック構成部分に設けたロック部がバックルを押し倒す操作の過程で徐々に本体キャビネットの角部に当たり、ロック部の付勢力でバックルを本体キャビネット側に引き込む構成としたことを特徴とする請求項１記載の蓋開閉装置。
【請求項５】
連結板に設けたリブと開閉蓋に設けた２箇所の凹部によりバックルロック・リリース操作の完了を伝えるとともにバックルのがたつきを抑える構成としたことを特徴とする請求項１〜４の何れかに記載の蓋開閉装置。
【請求項６】
バックルを回動可能に支持するバックル支持用の支軸に外装したバネの付勢力により、ロック解除時にバックルを所定姿勢に自立させる構成としたことを特徴とする請求項１〜５の何れかに記載の蓋開閉装置。
【発明の詳細な説明】
【０００１】
【発明の属する技術分野】
本発明は、たとえばポータブルＣＤ装置の開閉蓋のロック・リリースがワンタッチで行えるように構成した蓋開閉装置に関するものである。
【０００２】
【従来の技術】
従来、この種の蓋開閉装置としては図１０に示す構成のものがある。図１０において、３１は開閉蓋３２を閉じた姿勢にロックするためのバックルで、このバックル３１は本体キャビネット３３の左右箇所において、本体キャビネット３３に設けられた支軸３４をそれぞれ中心として回動自在に支持されている。開閉蓋３２を閉じた状態で、バックル３１を開閉蓋３２側に回動させることにより、このバックル３１に取り付けた第１ロック金具３５の凸部３６が、開閉蓋３２に取り付けた第２ロック金具３７の凸部３８を乗り越えてロックが完了され、開閉蓋３２と本体キャビネット３３とが互いに押しつけあった状態で閉じるように構成されている。なお、３９は防水性ゴムなどからなるシール部材である。
【０００３】
【発明が解決しようとする課題】
しかしながら、このような従来の蓋開閉装置においては、左右のバックル３１がそれぞれ単独で構成されており、ロック・リリース操作時に左右の手が必要となって操作がし難く、またロックの際に、金属製の凸部３６、３８同士が互いに乗り越える構成を採っているため、バックル３１自体のたわみによりロックの操作力が決まったりして、操作力の設定に十分な検討が要求されていた。また左右のバックル３１を独立して開閉させる構造であるため、落下した際などに、この際の衝撃が片側のバックル３１に対して外れ方向への力として加わった場合に、誤動作でバックル３１が外れてロックが解除されてしまうことがあり、このような不具合を防止すべく、簡単に外れない構成を検討する必要があった。
【０００４】
本発明は、このような従来の問題を解決するもので、蓋開閉動作の操作を容易に行うことができながら、バックルが誤って外れることを防止できる蓋開閉装置を提供することを目的とするものである。
【０００５】
【課題を解決するための手段】
上記課題を解決するために本発明の蓋開閉装置は、本体キャビネットに対して開閉自在に構成された開閉蓋の両側部箇所において本体キャビネットの両側部箇所にも臨むようにバックルを左右に配設し、左右のバックルにそれぞれロック部を設け、前記開閉蓋に、バックル同士が本体キャビネットに対して互いに離反または当接するように連動させる連動構成部を設け、この連動構成部は、開閉蓋の左側部分または右側部分に沿って移動自在に配設され、左右のバックルを、バックル支持用の支軸を介して、それぞれ回動可能に連結する連結板と、開閉蓋に対して回転自在に取付けられ、前記左右の連結板に連結されその回動に合わせて左右の連結板を横方向にスライドさせる連結レバーと、一端が、前記バックル支持用の支軸を介して前記連結板に連結され、他端が開閉蓋に固定した固定板に、この固定板に取付けられた支軸を介して連結されて、バックルをロック操作した際に、バックルを開閉蓋側に押し倒すように前記固定板取付の支軸を中心に回転して、本体キャビネットを開閉蓋側に引き上げ、ロック部を本体キャビネットの被ロック部に嵌まり込ませて本体キャビネットに対してロック力を発生させる反転板とを備えたことを特徴とする。
【０００６】
この構成により、蓋開閉動作の操作を容易に行うことができながら、バックルが誤って外れることを防止できる。
【０００９】
【発明の実施の形態】
本発明の請求項１に記載の蓋開閉装置は、本体キャビネットに対して開閉自在に構成された開閉蓋の両側部箇所において本体キャビネットの両側部箇所にも臨むようにバックルを左右に配設し、左右のバックルにそれぞれロック部を設け、前記開閉蓋に、バックル同士が本体キャビネットに対して互いに離反または当接するように連動させる連動構成部を設け、この連動構成部は、開閉蓋の左側部分または右側部分に沿って移動自在に配設され、左右のバックルを、バックル支持用の支軸を介して、それぞれ回動可能に連結する連結板と、開閉蓋に対して回転自在に取付けられ、前記左右の連結板に連結されその回動に合わせて左右の連結板を横方向にスライドさせる連結レバーと、一端が、前記バックル支持用の支軸を介して前記連結板に連結され、他端が開閉蓋に固定した固定板に、この固定板に取付けられた支軸を介して連結されて、バックルをロック操作した際に、バックルを開閉蓋側に押し倒すように前記固定板取付の支軸を中心に回転して、本体キャビネットを開閉蓋側に引き上げ、ロック部を本体キャビネットの被ロック部に嵌まり込ませて本体キャビネットに対してロック力を発生させる反転板とを備えたことを特徴とする。
【００１０】
これにより、一方のバックルだけを操作した場合でも、連動構成部により他方のバックルも連動し、同時に左右のバックルが移動して両側のロック部が本体キャビネットの被ロック部に嵌まり込んでロック力を発生させ、片手での開閉操作が可能となるとともに、落下等の誤使用による外れを防止することができて、耐衝撃性も向上する。
【００１１】
請求項２に記載の発明は、請求項１記載の蓋開閉装置において、連動構成部における開閉蓋に取り付けた連結レバーがバックル支持用の支軸を支点に開閉蓋に対して回転するように構成しており、連結板のスライドストローク量を、連結レバーの支点から連結板の連結部との間の距離を変えることにより容易に設定可能に構成し、また上記スライド・回転運動に合わせて、開閉蓋を覆う蓋カバーに設けた窓部での見え隠れによりグラフィック等のロック表示を可能にしたことを特徴とする。
【００１２】
これにより、左右のバックルを操作した際にグラフィック等のロック表示が使用者に視認できることとなるとともに、自由なストローク量の設定が可能であるため安定なロック動作を容易に設定できる。
【００１３】
請求項３に記載の発明は、請求項１記載の蓋開閉装置において、ロックさせるためにバックルをロック操作した際に、開閉蓋に固定した固定板にこの固定板取付の支軸を介して連結された反転板が、バックルを押し倒すように前記支軸を中心に回転するとともに、バックルに設けたロック部が本体キャビネット側に設けた被ロック部としてのロック用溝に嵌まり込んで、本体キャビネットを開閉蓋側に引き上げて開閉蓋と本体キャビネットとを押しつけ、この引き上げロック動作において、バックルを単に移動させただけではロック部がロック用溝に完全には嵌まり込まずに回動必要半径が不足するような位置設定とされており、さらにバックルを押し倒すことにより固定板や反転板やバックルなどが弾性変形して不足した回動必要半径量が確保されてロック部がロック用溝に完全に嵌まり込むことで、ロック力が発生してバックルにてロックする構成としたことを特徴とするものであり、回動必要半径が不足するようなストローク量を良好に設定することで、防水にも耐えうる十分なロック押しつけ力を得ることができる。
【００１４】
請求項４に記載の発明は、請求項１記載の蓋開閉装置において、バックルのロック構成部分に設けたロック部がバックルを押し倒す操作の過程で徐々に本体キャビネットの角部に当たり、ロック部の付勢力でバックルを本体キャビネット側に引き込む構成としたことを特徴とするものであり、このロック部の働きによりロック時にバックルを本体キャビネット側に引き込んで正規のロックポイントへと導くことができる。
【００１５】
請求項５に記載の発明は、請求項１〜４の何れかに記載の蓋開閉装置において、連結板に設けたリブと開閉蓋に設けた２箇所の凹部によりバックルロック・リリース操作の完了を伝えるとともにバックルのがたつきを抑える構成としたことを特徴とするものであり、これにより、品位を向上させ、安心感を与えることができる。
【００１６】
請求項６に記載の発明は、請求項１〜５の何れかに記載の蓋開閉装置において、バックルを回動可能に支持するバックル支持用の支軸に外装したバネの付勢力により、ロック解除時にバックルを所定姿勢に自立させる構成としたことを特徴とするものであり、このバネの付勢力によりロックリリース時のバックルのがたつきを抑えて品位を向上させ、安心感を与えることができる。
【００１７】
以下、本発明の実施の形態について、図１から図９を用いて説明する。
【００１８】
図１は本発明の実施の形態にかかる蓋開閉装置を備えたポータブルＣＤ装置の外観図、図２は同ポータブルＣＤ装置の蓋開閉装置の平面透視図、図３は同蓋開閉装置の概略的な正面図、図４は同ポータブルＣＤ装置における蓋開閉装置の連結構成部の斜視図、図５は同蓋開閉装置におけるバックル部の組立斜視図、図６は同蓋開閉装置のロックリリース状態での正面断面図、図７は同蓋開閉装置におけるロック補助機構の正面断面図、図８は同蓋開閉装置における指標部の天面図、図９は同蓋開閉装置における構成部品の分解斜視図である。
【００１９】
図１〜図９において、１は本発明の実施の形態にかかる蓋開閉装置２を備えたポータブルＣＤ装置、３は本体キャビネット、４はヒンジ部５を介して本体キャビネット３に対して開閉自在に構成された開閉蓋、６はロック用のバックルであり、バックル６は開閉蓋４側における左右位置にそれぞれ配設されている。
【００２０】
開閉蓋４には、各バックル６にそれぞれ連結される左右の連結板７と、これらの連結板７同士を連結する連結レバー８とが内装されている。連結レバー８は、開閉蓋４に設けた連結軸４ａに、連結レバー８に設けた連結軸受け８ａを嵌合させることにより、回動可能に支持されている。
【００２１】
連結板７の端部には軸７ａが下方に突設され、連結レバー８に形成された軸受け孔８ｂに連結板７の軸７ａを嵌入させることにより、連結レバー８の回動に合わせて左右の連結板７が一体動作する。連結板７には横方向に延びる複数のガイド溝７ｂが形成され、このガイド溝７ｂには開閉蓋４に突設された複数のガイドピン４ｂが嵌入されており、連結レバー８の回動動作が変換されて連結板７が横方向にスライドするようになっている。また、連結板７に設けた弾性変形自在のリブ７ｃの先端部が、開閉蓋４に形成した２箇所の凹部４ｃ間をスライドしながら移動して係脱自在とされている。
【００２２】
また、連結板７の他端に設けた軸受け７ｄと、バックル６に設けた軸受け６ａとが支軸９を介して回動可能に取り付けられており、支軸９に外装されたバネ１０（図５参照）の働きにより、バックル６の上部が水平に保たれるように付勢されている。
【００２３】
また、開閉蓋４には、連結板７の浮きをその板受け部１１ａで抑える固定板１１が固定されており、この固定板１１には、支軸１３が挿通される軸受け部１１ｂが設けられている。また、１２は、上部軸受け１２ａと下部軸受け１２ｂとを有する反転板で、反転板１２の上部軸受け１２ａが、支軸９を介してバックル６の軸受け６ａや連結板７の軸受け７ｄと連結され、反転板１２の下部軸受け１２ｂが支軸１３を介して固定板１１の軸受け部１１ｂに連結されている。
【００２４】
さらに、バックル６の下部前寄りの箇所にも軸受け６ｂが設けられ、支軸１４を介してロック片１５が回動可能に取り付けられている。そして、支軸１４に外装させてロック片１５とバックル６とに端部を当接させたバネ１６により（図５においてはバネ１６を取付ける際の状態を仮想線で示す）、ロック片１５に設けられたロック面１５ａがバックル６の裏面側より突出する方向にロック片１５が付勢されている。また、このロック片１５が係合可能なロック用溝３ａが本体キャビネット３におけるロック片１５に臨む位置に形成されている。
【００２５】
また、開閉蓋４の上面側はバックル飾り１６で覆われ、ロック時にはバックル飾り１６に設けた指標窓１６ａから、連結板７に貼り付けた指標シート１７が臨むようになっている。なお、１８は防水性ゴムなどからなるシール部材である。
【００２６】
以上のように構成された蓋開閉装置の動作を以下に説明する。
【００２７】
ロック動作において、バックル６をＡ方向（図６参照）に押し倒すことにより、バックル６に連結された連結板７が、ガイド溝７ｂと開閉蓋４に設けたガイドピン４ｂとの働きにより、Ｂ方向（図４、図６参照）にスライドし、連結レバー８が連結軸受け８ａを支点としてＣ方向（図４参照）に回動する。さらに反対側の連結板７が連動して動く。前記バックル６の操作により、固定板１１に設けた軸受け部１１ｂを固定支点として、反転板１２が回動する。
【００２８】
この時、バックル６に取り付けたロック片１５が本体キャビネット３に設けたロック用溝３ａに徐々に接近し、さらに近づく。これにより、ロック用溝３ａの角にロック片１５のロック面１５ａが当たって反転し、バックル６を本体キャビネット３へと引き寄せるロック補助の働きが発生し、最終的にロック片１５がロック用溝３ａにはまり込み、本体キャビネット３が引き上げられながら開閉蓋４に押しつけられる。
【００２９】
この引き上げロック動作において、バックル６を単に移動させただけでは固定板１１の軸受け部１１ｂの回動半径では、ロック片１５がロック用溝３ａに完全には嵌まり込まず、回動必要半径が不足するような位置設定とされているが、さらにバックル６を押し倒すことにより、固定板１１や反転板１２やバックル６などが弾性変形して不足した回動必要半径量が確保され、ロック片１５がロック用溝３ａを無理矢理押し越えるようにしてロック用溝３ａに完全に嵌まり込み、バックル６のロック動作が完了する。
【００３０】
このバックル６の操作に合わせて連結板７に張り付けた指標シート１７に記したロック表示（ＲＯＣＫ表示の有無やＯＮ・ＯＦＦ表示）が、バックル飾り１６に設けた指標窓１６から現われ、このロック表示を視認することでロックを良好に行えたことを確認できる。
【００３１】
一方、リリース動作では、バックル６をＤ方向（図６参照）に引くことにより、連結板７がＥ方向（図４、図６参照）にスライドして、連結レバー８はＦ方向（図４参照）に連動する。バックル６を操作してリリース動作を完了させた状態の時には、バネ１０の付勢力によりバックル６が傾くことが抑えられ、常に水平になるようにされている。さらに連結板７に設けたリブ７ｃが開閉蓋４に設けた凹部４ｃにはまり込んでロックすることにより、バックル６のぐらつきが抑えられる。
【００３２】
以上のように本実施形態によれば、左右のバックル６を連結させたので、双方のバックル６だけでなく片側のバックル６のみでもロック操作可能であって操作性が向上するとともに、ロック時には、双方のバックル６に設けた各ロック片１５が開閉蓋４に確実に係合するため、落下した際などに、この際の衝撃が片側のバックル６に対して外れ方向への力として加わった場合でも、バックル６が外れてロックが解除されてしまうことが防止され、耐衝撃性も向上する。また、連結板７のスライドストローク量を、連結レバー８の支点（連結軸４ａが設けられている箇所）から連結レバー８の連結部との間の距離を変えることにより容易に設定可能であるため、安定なロック動作を行える寸法に容易に設定できる。
【００３３】
また、連結板７に設けたリブ７ｃと開閉蓋４に設けた２箇所の凹部４ｃとによりバックルロック・リリース操作の完了を伝えるとともにバックルのがたつきを抑える構成としたので、品位を向上させることができて、安心感を与えることができる。さらに、無理に開閉蓋４を移動させることを防止できるため、ロック解除時の開閉蓋の開閉操作による開閉蓋の破壊を防止することも可能となる。また、バネ１０の付勢力によりロック解除時にはバックル６が所定姿勢に保持されるため、これによっても品位が向上するとともに、安心感を与えることができる。
【００３４】
【発明の効果】
以上のように本発明によれば、左右のバックルを連結させたので、双方のバックルだけでなく片側のバックルのみでもロック操作可能であって操作性が向上するとともに、ロック時には、双方のバックルに設けた各ロック部が開閉蓋に確実に係合し、誤って落下させた際などに、この際の衝撃が片側のバックルに対して外れ方向への力として加わった場合でも、バックルが外れてロックが解除されてしまうことが防止され、安定かつ優れた品位の蓋開閉ロック動作を得ることができる。
【図面の簡単な説明】
【図１】本発明の実施の形態にかかる蓋開閉装置を備えたポータブルＣＤ装置の外観図
【図２】同ポータブルＣＤ装置の蓋開閉装置の平面透視図
【図３】同蓋開閉装置の概略的な正面図
【図４】同ポータブルＣＤ装置における蓋開閉装置の連結構成部の斜視図
【図５】同蓋開閉装置におけるバックル部の組立斜視図
【図６】同蓋開閉装置のロック（実線で示す）・リリース（仮想線で示す）状態での正面断面図
【図７】同蓋開閉装置におけるロック補助機構の正面断面図
【図８】同蓋開閉装置における指標部の天面図
【図９】同蓋開閉装置における構成部品の分解斜視図
【図１０】従来の蓋開閉装置の正面断面図
【符号の説明】
２        蓋開閉装置
３        本体キャビネット
３ａ      ロック用溝（被ロック部）
４        開閉蓋
４ｃ      凹部
６        バックル
７        連結板
７ｃ      リブ
８        連結レバー
９        支軸
１０      バネ
１１      固定板
１２      反転板
１３      支軸
１４      支軸
１５      ロック片（ロック部）
１６      バネ
１６ａ    指標窓
１７      指標シート
【図１】
0003758873.tif 000002
【図２】
0003758873.tif 000003
【図３】
0003758873.tif 000004
【図４】
0003758873.tif 000005
【図５】
0003758873.tif 000006
【図６】
0003758873.tif 000007
【図７】
0003758873.tif 000008
【図８】
0003758873.tif 000009
【図９】
0003758873.tif 000010
【図１０】
0003758873.tif 000011